(57)【要約】【課題】ベースを樹脂で形成する場合においても、簡単な構造で強度を確保して、ベースの薄型化を図れる光ピックアップを提供する。【解決手段】光ピックアップ６のスライドベース６１は、平行配置される２本のガイド軸の一方を挿通する第１の軸受け部６１ａと他方を挿通する第２の軸受け部（図示せず）とが設けられることにより、前記２本のガイド軸に沿って摺動可能である。第１の軸受け部６１ａに挿通される第１のガイド軸の下部に、スライドベース６１を駆動する駆動機構が備える部材とスライドベース６１とを連結するために必要となるナット８１が配置されるように、スライドベース６１には、ナット８１を保持するナット保持部６２が設けられる。ナット保持部６２は、第１のガイド軸の長手方向と略平行な方向に沿ってナット８１を挿入可能とする挿入口６２２を有する。【選択図】図４
2009271969.tif 000002
【特許請求の範囲】
【請求項１】
光源と、
前記光源から出射される光を光ディスクの情報記録面に導くとともに、前記光ディスクからの反射光を所定の位置に導く光学系と、
前記所定の位置に配置されて、前記反射光を受光して光電変換を行う受光素子と、
前記光源、前記光学系及び前記受光素子が搭載され、平行配置される２本のガイド軸の一方を挿通する第１の軸受け部と他方を挿通する第２の軸受け部とが設けられることにより、前記２本のガイド軸に沿って摺動可能なベースと、
を備える光ピックアップにおいて、
前記第１の軸受け部に挿通される第１のガイド軸の下部に、前記ベースを駆動する駆動機構が備える部材と前記ベースとを連結するために必要となるナットが配置されるように、前記ベースには、前記ナットを保持するナット保持部が設けられ、
前記ナット保持部は、前記第１のガイド軸の長手方向と略平行な方向に沿って前記ナットを挿入可能とする挿入口を有することを特徴とする光ピックアップ。
【請求項２】
前記ナット保持部は、
前記挿入口から挿入された前記ナットが載置される載置面と、
前記ナットの形状に合わせた形状を有し、前記載置面に載置される前記ナットの位置決めを行う位置決め壁と、
前記位置決め壁の上側に略対向配置されて前記ナットの脱落を防止する２つの脱落防止部と、を備え、
前記脱落防止部は、前記第１のガイド軸と対向する斜面を有して下部側が前記位置決め壁に対して突出することを特徴とする請求項１に記載の光ピックアップ。
【請求項３】
前記ベースは樹脂から成ることを特徴とする請求項１又は２に記載の光ピックアップ。
【請求項４】
前記第１の軸受け部は、前記長手方向に所定の間隔をおいて設けられる２つの部分から成って、
前記ナット保持部は、前記第１の軸受け部を形成する前記２つの部分の間に配置されることを特徴とする請求項１から３のいずれかに記載の光ピックアップ。
【請求項５】
光ディスクに記録される情報の再生及び光ディスクへの情報の記録のうち、少なくとも情報の再生を行う光ディスク装置であって、
請求項１から４のいずれかに記載の光ピックアップと、
前記２本のガイド軸と、
前記光ピックアップを前記２本のガイド軸の沿って摺動可能とする駆動機構と、
を備えることを特徴とする光ディスク装置。
【発明の詳細な説明】
【技術分野】
【０００１】
本発明は、光ディスクに記録される情報の読み取りや、光ディスクへの情報の書き込みを行うために使用される光ピックアップに関する。また、本発明は、光ピックアップを備えて、光ディスクに記録される情報の再生や、光ディスクへの情報の記録を行う光ディスク装置に関する。
【背景技術】
【０００２】
コンパクトディスク（以下、ＣＤという。）やデジタル多用途ディスク（以下、ＤＶＤという。）といった光ディスクが普及している。更に、最近では、ブルーレイディスク（以下、ＢＤという。）等の大容量の情報を記録できる光ディスクも実用化されている。このような光ディスクに記録される情報の再生や、光ディスクへの情報の記録は、光ピックアップを備える光ディスク装置を用いて行われる。
【０００３】
図７は、従来の光ディスク装置における光ピックアップとその周辺部分を示した概略平面図である。また、図８は、従来の光ピックアップにおける、ティースとリードスクリュとの関係を説明するための説明図である。
【０００４】
図７に示すように、従来の光ピックアップ１０１は、一方の端部に所定の間隔をあけて設けられる２つの部分から成る第１の軸受け部１０１ａと、それと対向する他方の端部に設けられる第２の軸受け部１０１ｂと、を有する。第１の軸受け部１０１ａには、主軸である第１のガイドシャフト１０２ａが挿通され、第２の軸受け部１０１ｂには、副軸である第２のガイドシャフト１０２ｂが挿通されている。これにより、光ピックアップ１０１はガイドシャフト１０２ａ、１０２ｂに沿って摺動可能となっている。
【０００５】
光ピックアップ１０１のガイドシャフト１０２ａ、１０２ｂに沿った移動は、光ピックアップ駆動機構１０３によって行われる。この光ピックアップ駆動機構１０３の構成は様々であるが、例えば、特許文献１にも示されるように、ティース１０３１と、リードスクリュ１０３２と、スクリューモータ１０３３と、から成る構成とできる。
【０００６】
ティース１０３１は、光ピックアップ１０１にビス（図示せず）によって着脱自在に取り付けられる。図８に示すように、ティース１０３１には複数のギア歯１０３１ａが形成されている。また、図８に示すように、リードスクリュ１０３２には、螺旋状に溝１０３２ａが形成されており、この溝１０３２ａとティース１０３１のギア歯１０３１ａとが噛み合うようになっている。これにより、スクリューモータ１０３３の駆動によってリードスクリュ１０３２が回転されると、光ピックアップ１０１はガイドシャフト１０２ａ、１０２ｂに沿って移動する。
【０００７】
ガイドシャフト１０２ａ、１０２ｂは、光ディスク（図７では図示していないが、紙面の手前側に配置される）の半径方向と平行な方向に、その長手方向が延びるように配置されている。このために、光ピックアップ１は、光ピックアップ駆動機構１０３によってガイドシャフト１０２ａ、１０２ｂに沿って移動されることで、高速回転する光ディスクに形成される各アドレスにアクセス可能となっている。
【特許文献１】特開２００７−２８０４６３号公報
【発明の開示】
【発明が解決しようとする課題】
【０００８】
ところで、以上のように形成される光ディスク装置において、最近では、コストを削減するために光ピックアップ１０１を構成するベース（以下ではスライドベースと表現する）を樹脂で形成するようになってきている。樹脂でスライドベースを形成する場合、強度の観点から金属でスライドベースを形成する場合に比べて、ビス等の部品を取り付ける部分の肉厚を厚くすることが要求される。このために、スライドベースの厚みが厚く成り、光ディスク装置全体が厚くなる傾向にある。
【０００９】
具体的には、上述のティース１０３１を光ピックアップ１０１のスライドベースにビス留めする部分において、スライドベースの肉厚を厚くせざるを得ないという状況が発生している。これについて、図９を参照しながら説明する。なお、図９は、従来の光ピックアップ１０１の第１の軸受け部１０１ａの周辺を拡大して示した拡大斜視図である。
【００１０】
図９に示すように、従来の光ピックアップ１０１においては、ティース１０３１をビスによって取り付け易いように、スライドベース１０１１側にナット１０１３を位置決めして保持するナット保持部１０１２が設けられる。ナット保持部１０１２は、ナット１０１３が載置される載置面１０１２ａと、ナット１０１３の形状に合わせた形状を有して、載置面１０１２ａに載置されるナット１０１３の位置決めを行う位置決め壁１０１２ｂと、位置決め壁１０１２ｂのナット１０１３の厚みより高い位置からナット１０１３が載置される方向に突出してナット１０１３の脱落を防止する２つの脱落防止部１０１２ｃと、ナット１０１３を第１のガイドシャフト１０２ａの長手方向と略垂直な方向に沿って挿入可能とする挿入口１０１２ｄと、を有する。
【００１１】
ナット保持部１０１２は、スライドベース１０１１に第１のガイドシャフト１０２ａが挿通される場合に邪魔にならないように、その全体が第１のガイドシャフト１０２ａの下部側に配置される。また、脱落防止部１０１２ｃの厚みを薄く構成すると、ティース１０３１をスライドベース１０１１にビス留めする場合等に、脱落防止部１０１２ｃが破損することがある。このために、脱落防止部１０１２ｃの厚みは、ある程度厚くする必要がある。したがって、ナット保持部１０１２の存在により、スライドベース１０１１の厚みをある程度厚くせざるを得ない状況にあった。
【００１２】
しかしながら、光ディスク装置の薄型化は商品の付加価値を向上する重要なファクターであり、市場からもそのような要望が強い。このため、従来の光ピックアップにおいては、樹脂でスライドベース１０１１を形成する場合において、その厚みを厚くしたくてもあまり厚くできず、ビス留め時等に破損が生じることがあった。なお、ナット保持部１０１２の構造を複雑にすればビス留め時等の破損を防止することもできる。しかし、そのような構成は、製造時における金型部品の増加等、コストアップの原因となるために、避けたいという状況であった。
【００１３】
以上の点を鑑みて、本発明の目的は、ベースを樹脂で形成する場合においても、簡単な構造で強度を確保して、ベースの薄型化を図れる光ピックアップを提供することである。また、本発明は他の目的は、そのような光ピックアップを備えることにより、低コストで薄型化された光ディスク装置を提供することである。
【課題を解決するための手段】
【００１４】
上記目的を達成するために本発明は、光源と、前記光源から出射される光を光ディスクの情報記録面に導くとともに、前記光ディスクからの反射光を所定の位置に導く光学系と、前記所定の位置に配置されて、前記反射光を受光して光電変換を行う受光素子と、前記光源、前記光学系及び前記受光素子が搭載され、平行配置される２本のガイド軸の一方を挿通する第１の軸受け部と他方を挿通する第２の軸受け部とが設けられることにより、前記２本のガイド軸に沿って摺動可能なベースと、を備える光ピックアップにおいて、前記第１の軸受け部に挿通される第１のガイド軸の下部に、前記ベースを駆動する駆動機構が備える部材と前記ベースとを連結するために必要となるナットが配置されるように、前記ベースには、前記ナットを保持するナット保持部が設けられ、前記ナット保持部は、前記第１のガイド軸の長手方向と略平行な方向に沿って前記ナットを挿入可能とする挿入口を有する特徴としている。
【００１５】
本構成によれば、ナット保持部にナットを挿入する場合に、ガイド軸の長手方向と略平行な方向に沿ってナットを挿入する構成となっている。この構成の場合、ナット保持部全体の厚みを厚くすることなく、簡単な構造で、ビス留め時に破損し難い構造を有するベースを提供できる。すなわち、簡単な構造で強度を確保して、ベースの薄型化を図れる光ピックアップを提供することが可能となる。
【００１６】
上記構成の光ピックアップの具体的な構成として、前記ナット保持部は、前記挿入口から挿入された前記ナットが載置される載置面と、前記ナットの形状に合わせた形状を有し、前記載置面に載置される前記ナットの位置決めを行う位置決め壁と、前記位置決め壁の上側に略対向配置されて前記ナットの脱落を防止する２つの脱落防止部と、を備え、前記脱落防止部は、前記第１のガイド軸と対向する斜面を有して下部側が前記位置決め壁に対して突出することとできる。
【００１７】
この構成によれば、ナットの脱落を防止する脱落防止部が、ガイド軸と対向する斜面を有して下部側が位置決め壁に対して突出する構成となっている。このために、脱落防止部の厚みをガイド軸とぶつかることなく厚くできるために、ビス留め時にナット保持部が破損し難い構成を実現できる。したがって、ナット保持部の強度を増しつつ、光ピックアップの薄型化を図れる。また、本構成によれば、従来のナット保持部と比較して、光ピックアップのベースの構造が複雑とならず、簡単な構造の光ピックアップを提供できる。
【００１８】
また、上記構成の光ピックアップにおいて、前記ベースは樹脂から成るのが好ましい。この構成によれば、光ピックアップの低コスト化を図りつつ、従来の問題点である、薄型化すると組み立て時に破損し易いといった問題を解消できる。
【００１９】
また、上記構成の光ピックアップの具体的な構成として、前記第１の軸受け部は、前記長手方向に所定の間隔をおいて設けられる２つの部分から成って、前記ナット保持部は、前記第１の軸受け部を形成する前記２つの部分の間に配置されることとしてもよい。このように構成すれば、光ピックアップのガイド軸に沿った摺動をバランス良く、且つ円滑に行え、そのような光ピックアップについても、低コスト化と薄型化を実現できる。
【００２０】
また、上記目的を達成するために本発明は、光ディスクに記録される情報の再生及び光ディスクへの情報の記録のうち、少なくとも情報の再生を行う光ディスク装置であって、上記構成の光ピックアップと、前記２本のガイド軸と、前記光ピックアップを前記２本のガイド軸の沿って摺動可能とする駆動機構と、を備えることを特徴としている。
【００２１】
本構成によれば、光ディスク装置は、簡単な構造で強度を確保して、ベースの薄型化を図れる光ピックアップを備える。したがって、本構成によれば、低コストで薄型化が可能な光ディスク装置を提供できる。
【発明の効果】
【００２２】
本発明によれば、ベースを樹脂で形成する場合においても、簡単な構造で強度を確保して、ベースの薄型化を図れる光ピックアップを提供できる。また、本発明によれば、そのような光ピックアップを備えることにより、低コストで薄型化された光ディスク装置を提供できる。
【発明を実施するための最良の形態】
【００２３】
以下、本発明の光ピックアップ及び光ディスク装置の実施形態について、図面を参照しながら詳細に説明する。
【００２４】
図１は、本実施形態の光ディスク装置の構成を示すブロック図である。図２は、本実施形態の光ディスク装置が備える光ピックアップとその周辺の構成を示す概略平面図である。図３は、本実施形態の光ピックアップが備える光学系の構成を示す概略図である。以下、図１から図３を参照しながら本実施形態の光ディスク装置及び光ピックアップの構成の概略を説明する。
【００２５】
本実施形態の光ディスク装置１は、ＢＤ、ＤＶＤ及びＣＤの３種類の光ディスクに対して情報の再生を行えるように構成されている。光ディスク４０は、図示しないトレイによって光ディスク装置１に対して出し入れ可能となっており、光ディスク装置１内に挿入された光ディスク４０はターンテーブル２（図２参照）によって保持される。ターンテーブル２は、スピンドルモータ３（図１参照）と接続されており、スピンドルモータ３によって回転駆動される。
【００２６】
光ディスク４０が載置されるトレイ（図示せず）の下部側に配置されるトラバースシャーシ４（図２参照）には、第１のガイドシャフト５ａと第２のガイドシャフト５ｂとが、互いに平行となるように固定配置される。なお、２本のガイドシャフト５ａ、５ｂの長手方向は、光ディスク４０の半径方向と平行となっている。トラバースシャーシ４の略中央部には開口４ａが形成されており、２本のガイドシャフト５ａ、５ｂに対して摺動可能に保持される光ピックアップ６は、光ディスク４０の半径方向に移動可能となっている。
【００２７】
光ピックアップ６は、図２に示すように、一方の端部に所定の間隔をあけて設けられる２つの部分から成る第１の軸受け部６１ａと、それと対向する他方の端部近傍に設けられる第２の軸受け部６１ｂと、が形成されるスライドベース６１を備える。第１の軸受け部６１ａには、主軸となる第１のガイドシャフト５ａが挿通され、第２の軸受け部６１ｂには、副軸となる第２のガイドシャフト５ｂが挿通される。これにより、光ピックアップ６は、ガイドシャフト５ａ、５ｂに対して摺動可能となっている。
【００２８】
光ピックアップ６のスライドベース６１には、光源と、光源から出射される光を光ディスク４０の情報記録面４０ａに導くとともに、光ディスク４０からの反射光を受光素子へと導く光学系と、前述の受光素子と、が搭載されている。これについて、図３を参照して詳細に説明する。
【００２９】
なお、光ピックアップ６は、ＢＤ用に使用される光学系１０と、ＤＶＤ及びＣＤ（ＤＶＤ／ＣＤと記載することがある）用に使用される光学系２０と、を別々に備える。ＢＤ用に使用される光学系１０は、第１半導体レーザ（光源）１１から出射されるレーザ光を光ディスク４０の情報記録面４０ａに導くとともに、光ディスク４０からの反射光を第１フォトディテクタ１９へと導く。一方、ＤＶＤ／ＣＤ用に使用される光学系２０は、第２半導体レーザ（光源）２１から出射されるレーザ光を光ディスク４０の情報記録面４０ａに導くとともに、光ディスク４０からの反射光を第２フォトディテクタ（受光素子）２７へと導く。
【００３０】
ここで、第１半導体レーザ１１は、例えば波長４０５ｎｍ帯のレーザ光を出射する。また、第２半導体レーザ２１は、例えば、波長６５０ｎｍ帯のレーザ光と波長７８０ｎｍ帯のレーザ光とを切り替えて出射する。このような２波長レーザとしては、いわゆるモノリシック型の半導体レーザやハイブリッド型の半導体レーザが好適に使用される。第１フォトディテクタ１９及び第２フォトディテクタ２７は、受光した光信号を電気信号に変換して出力する。なお、出力された電気信号は処理されて、再生ＲＦ信号、フォーカスエラー（ＦＥ）信号、トラッキングエラー（ＴＥ）信号等となる。
【００３１】
ＢＤ用の光学系１０は、回折素子１２と、偏光ビームスプリッタ１３と、第１コリメートレンズ１４と、１／４波長板１５と、第１立ち上げミラー１６と、第１対物レンズ１７と、第１シリンドリカルレンズ１８と、を備える。
【００３２】
第１半導体レーザ１１から出射されたレーザ光（直線偏光）は、回折素子１２によって主ビームと２本の副ビームとに分けられる。その後、偏光ビームスプリッタ１３によって反射され、第１コリメートレンズ１４を通過する。第１コリメートレンズ１４は、球面収差を補正できるように光軸方向（図３に矢印で示す方向）に移動可能に設けられている。なお、第１コリメートレンズ１４の位置を調整することで、第１対物レンズ１７に入射する光の収束発散状態を変化させることができる。
【００３３】
第１コリメートレンズ１４を通過したレーザ光は、１／４波長板１５で円偏光に変換され、第１立ち上げミラー１６によって反射されて、その進行方向を光ディスクに向かう向き（図３において、紙面に対して手前へと向かう向きが該当）に変換される。第１立ち上げミラー１６で反射された光は、第１対物レンズ１７によって光ディスクの情報記録面４０ａ（図１参照）に集光される。
【００３４】
その後、情報記録面４０ａで反射された反射光は、第１対物レンズ１７を通過後、第１立ち上げミラー１６で反射され、１／４波長板１５で直線偏光に変換される。なお、この際の偏光方向は、第１半導体レーザ１１から出射された直線偏光の偏光方向に対して９０度回転した方向である。
【００３５】
１／４波長板１５を通過した反射光は、第１コリメートレンズ１４、第１偏光ビームスプリッタ１３を透過し、第１シリンドリカルレンズ１８によって非点収差を与えられて第１フォトディテクタ１９に集光する。
【００３６】
ＤＶＤ／ＣＤ用の光学系２０は、ハーフミラー２２と、第２コリメートレンズ２３と、第２立ち上げミラー２４と、第２対物レンズ２５と、第２シリンドリカルレンズ２６と、を備える。
【００３７】
第２半導体レーザ２１から出射されたレーザ光（直線偏光）は、ハーフミラー２２で反射されて、第２コリメートレンズ２３で平行光に変換される。第２コリメートレンズ２３で平行光に変換された光は、第２立ち上げミラー２４によって反射されて、その進行方向を光ディスクに向かう向き（図３において、紙面に対して手前へと向かう向きが該当）に変換される。第２立ち上げミラー２４で反射された光は、第２対物レンズ２５によって光ディスクの情報記録面４０ａ（図１参照）に集光される。
【００３８】
その後、情報記録面４０ａで反射された反射光は、第２対物レンズ２５を通過後、第２立ち上げミラー２４で反射され、第２コリメータレンズ２３、ハーフミラー２２を透過し、第２シリンドリカルレンズ２６によって非点収差を与えられて第２フォトディテクタ２７に集光する。
【００３９】
図２に示すように、第１対物レンズ１７と第２対物レンズ２５とは、スライドベース６１上に配置される対物レンズアクチュエータ２８に搭載された状態で、スライドベース６に搭載される。そして、第１対物レンズ１７及び第２対物レンズ２５は、対物レンズアクチュエータ２８に搭載されることによって、光ディスク４０の情報記録面４０ａと直交する方向であるフォーカス方向と、光ディスク４０の半径方向と平行な方向であるトラック方向とに移動可能に設けられる。これにより、光ピックアップ６におけるフォーカシング制御とトラッキング制御とが可能となっている。
【００４０】
以上のような構成の光ピックアップ６は、光ピックアップ駆動機構７（図１及び図２参照）によって、ガイドシャフト５ａ、５ｂに沿って移動される。これにより、高速回転する光ディスク４０に形成される各アドレスにアクセス可能となり、光ディスク４０に記録される情報の再生が可能となる。なお、光ピックアップ駆動機構７は、ティース７１と、リードスクリュ７２と、スクリューモータ７３と、から成る構成であり、図７、８に示す従来の光ピックアップ１０１と同様の構成であるために、ここでは、その詳細な説明は省略する。
【００４１】
なお、ティース７１は光ピックアップ６のスライドベース６１に着脱自在に取り付けられ、リードスクリュ７２が取り付けられるスクリューモータ７３は、図示しない部材によってトラバースシャーシ４に取り付けられる。
【００４２】
図１を参照して、上述のスピンドルモータ３の駆動は、スピンドルモータ駆動回路３１によって制御される。また、光ピックアップ６が備える第１半導体レーザ１１及び第２半導体レーザ２１のレーザパワーの制御は、レーザ駆動回路３２によって行われる。第１フォトディテクタ１９及び第２フォトディテクタ２７から出力される電気信号は、ＦＥＰ（フロントエンドプロセッサ）３３に送られて、各種の演算処理、ゲイン調整、ノイズの除去等が行われる。具体的には、ＦＥＰ３３の信号処理によって、再生ＲＦ信号、ＦＥ信号、ＴＥ信号等が生成される。
【００４３】
ＤＳＰ（デジタルシグナルプロセッサ）３４は、ＦＥＰ３３から供給される再生ＲＦ信号について、ＰＬＬ（Phase Locked Loop）といわれている回路構成を持つ同期信号発生回路（図示せず）で生成されたクロックにタイミングを合わせる形で、ＡＤ変換（アナログデジタル変換）を行う。ＡＤ変換された再生ＲＦ信号はデコーダ３５に送られる。デコーダ３５は、データの復調を行うとともに、データのエラーを検出し、エラーが検出された場合において訂正可能であればデータの訂正処理を行う。デコーダ３５で得られた再生データは、図示しないインターフェースを介して外部に出力される。
【００４４】
ＤＳＰ３４は、サーボコントローラ回路も備えている。このため、システムコントローラ３８の制御下において、ＦＥＰ３３から出力されるＦＥ信号及びＴＥ信号を用いて、アクチュエータ駆動回路３６を介して対物レンズアクチュエータ２８の駆動を制御し、フォーカス制御及びトラッキング制御を行う。また、スクリューモータ駆動回路３７を介して、光ピックアップ６の半径方向の移動を可能とする光ピックアップ駆動機構７が備えるスクリューモータ７３の制御も行う。
【００４５】
システムコントローラ３８は、マイクロコンピュータを備え、光ディスク装置１を構成する各部と図示しない信号線で接続されており、各部が実行すべき所要の動作に応じて適宜制御処理を実行する。なお、システムコントローラ３８には、メモリ（記憶部）３９が接続される。メモリ３９には、システムコントローラ３８が各種処理を行う上で必要となる各種のパラメータや動作プログラム等が記憶される。
【００４６】
本実施形態の光ディスク装置１及び光ピックアップ６の構成の概略は以上のようであるが、次に図４から図６を参照しながら、本実施形態の光ピックアップ６について、更に詳細に説明する。なお、図４は、本実施形態の光ピックアップ６の第１の軸受け部６１ａ周辺を拡大して示した概略斜視図である。図５は、本実施形態の光ピックアップ６の第１の軸受け部６１ａ周辺を上から見た場合の概略平面図である。図６は、図５のＡ−Ａ位置における概略断面図である。
【００４７】
上述のように、光ピックアップ６のスライドベース６１には、光ピックアップ駆動機構７を構成するティース７１（いずれも図２参照）がビス留めによって取り付けられる。このために、スライドベース６１には、ティース７１の取り付け作業が行い易いように、ビス留め時に使用されるナット８１を保持するナット保持部６２が形成される。なお、ティース７１はスライドベース６１の下面側に取り付けられ、ナット保持部６２はスライドベース６１の上面（第１の軸受け部６１ａに挿通される第１のガイドシャフト５ａと対向する面）に形成される。
【００４８】
また、ナット８１は、第１の軸受け部６１ａに挿通される第１のガイドシャフト５ａの邪魔にならないように、第１のガイドシャフト５ａの下部に配置される。また、本実施形態においては、ティース７１の取り付け位置が、第１の軸受け部６１ａを構成する２つの部分の略中央位置であるために、ナット保持部６２も、そのような位置となっている。ただし、ナット保持部６２の形成位置は、ティース７１の取り付け位置に合わせて適宜その場所は変更して構わない。
【００４９】
ナット保持部６２は、ナット８１を保持する際にナット８１が挿入される挿入口６２１と、挿入口６２１から挿入されたナット８１を載置する載置面６２２と、載置面６２２に載置されるナット８１の位置決めを行う位置決め壁６２３と、載置面６２２に位置決めして載置されたナット８１がビス留め作業時等に脱落しないようにする２つの脱落防止部６２４ａ、６２４ｂと、を備える。
【００５０】
図４又は図５に示すように、ナット保持部６２は、第１の軸受け部６１ａに挿通される第１のガイドシャフト５ａの長手方向と略平行な方向に沿ってナット８１が挿入されるように、挿入口６２１が形成されている。具体的には、本実施形態においては、図５を参照して、図の左側から右側に向かってナット保持部６２にナット８１を挿入できるように、ナット挿入口６２１が形成されている。
【００５１】
また、ナット８１が載置される載置面６２２の略中央には、平面視略矩形状の貫通孔６２５が形成されている。この貫通孔６２５は、ティース７１をスライドベース６１にビス留めする際にビスの軸を挿通可能とするために設けられる。また、例えばＰＰＳ（ポリフェニレンサルファイド）樹脂等の樹脂によって形成されるスライドベース６１の成型時において、金型部品を増やすことなく厚肉の脱落防止部６２４を形成する狙いでも設けられている。この点の詳細については、後述する。
【００５２】
図４又は図５に示すように、位置決め壁６２３は、載置面６２２に載置されるナット８１の形状に合わせた形状を有している。具体的には、挿入口６２１から挿入される六角柱形状のナット８１の４つの面と接するように４つの壁面から成り、４つの壁面に囲まれる空間は平面視略五角形状となっている。
【００５３】
２つの脱落防止部６２４ａ、６２４ｂは、位置決め壁６２３の上側に略対向配置されている。２つの脱落防止部６２４ａ、６２４ｂはいずれも、図６に示すように、第１の軸受け部６１ａに挿通される第１のガイドシャフト５ａと対向する斜面６２６を有している。そして、２つの脱落防止部６２４ａ、６２４ｂはいずれも、下部側が位置決め壁６２３に対して突出するように形成されている。これにより、スライドベース６１へのティース７１の取り付け作業時に、例えばスライドベース６１を逆さまにしたような場合でも、ナット８１が脱落するのを防止できる。
【００５４】
なお、脱落防止部６２４ａ、６２４ｂは、その下部側において、本実施形態のように第１のガイドシャフト５ａの長手方向と略平行な面Ｓ（図６参照）を有するように形成するのが好ましい。これにより、ビス留め時等に発生するナット保持部６２の破損をより少なくできる。
【００５５】
ところで、２つの脱落防止部６２４ａ、６２４ｂは、その一部が、位置決め壁６２３より突出した構造となっている。このような構成の場合、突出した部分の下部側にも貫通孔を形成しておけば、金型を上下に抜くことによって突出部６２４ａ、６２５ｂが形成できる。したがって、貫通孔６２５は、そのように形成されている。
【００５６】
本実施形態の構成によれば、２つの脱落防止部６２４ａ、６２４ｂは、斜面６２６を利用することによって、上方向（第１のガイドシャフト５ａが存在する側）に厚みを厚くしつつ、第１のガイドシャフト５ａの邪魔にならない構成としている。このために、第１のガイドシャフト５ａの下部側の厚みを厚くすることなく、ナット保持部６２の破損が発生し難い構成となっている。また、そのような構成を、金型部品を増やすことなく簡単な構造で実現しており、余計なコストアップも抑制できている。更に、従来の構成とほぼ同様の作業で、ティース７１のスライドベース６１への取り付けを行えるために、組み立て作業の作業効率を低下させることもない。
【００５７】
以上に示した実施形態は一例であり、本発明は上述の実施形態に限定されるものではない。本発明の目的を逸脱しない範囲で、以上に示した実施形態について、種々の変更が可能である。
【００５８】
例えば、本実施形態においては、光ピックアップ６を駆動する光ピックアップ駆動機構７が、ティース７１とリードスクリュ７２の関係を利用して駆動される構成とした。しかし、例えば、ラックとピニオンの関係を利用して光ピックアップを駆動することもある。このような場合に、ラックが本実施形態と同様に、光ピックアップのスライドベースにビス留めされる構成であれば、そのような光ピックアップにも本発明を適用できる。
【００５９】
また、本実施形態では、本発明の光ピックアップを備える光ディスク装置が、再生専用である場合を例として示した。しかし、本発明が、再生のみならず記録も行える光ディスク装置にも適用されるのは言うまでもない。また、本実施形態では、光ピックアップがＢＤ、ＤＶＤ及びＣＤに対応する場合について説明したが、これに限らず、本発明は、単一の光ディスクに対応する光ピックアップや、複数種類の光ディスクに対応するが本実施形態とは異なる光ディスクに対応する光ピックアップについても適用できるのは当然である。
【産業上の利用可能性】
【００６０】
本発明の光ピックアップは、ベースを樹脂とすることにより低コスト化を図りつつ、更に、薄型化も可能にするものである。したがって、光ピックアップの発明として有用であり、光ディスク装置に好適に使用できる。
【図面の簡単な説明】
【００６１】
【図１】は、本実施形態の光ディスク装置の構成を示すブロック図である。
【図２】は、本実施形態の光ディスク装置が備える光ピックアップとその周辺の構成を示す概略平面図である。
【図３】は、本実施形態の光ピックアップが備える光学系の構成を示す概略図である。
【図４】は、本実施形態の光ピックアップの第１の軸受け部周辺を拡大して示した概略斜視図である。
【図５】は、本実施形態の光ピックアップの第１の軸受け部周辺を上から見た場合の概略平面図である。
【図６】は、図５のＡ−Ａ位置における概略断面図である。
【図７】は、従来の光ディスク装置における光ピックアップとその周辺部分を示した概略平面図である。
【図８】は、従来の光ピックアップにおける、ティースとリードスクリュとの関係を説明するための説明図である。
【図９】は、従来の光ピックアップの第１の軸受け部の周辺を拡大して示した拡大斜視図である。
【符号の説明】
【００６２】
１        光ディスク装置
５ａ      第１のガイドシャフト（ガイド軸）
５ｂ      第２のガイドシャフト（ガイド軸）
６        光ピックアップ
７        光ピックアップ駆動機構
１０      ＢＤ用に使用される光学系
１１      第１半導体レーザ（光源）
１９      第１フォトディテクタ（受光素子）
２０      ＤＶＤ／ＣＤ用に使用される光学系
２１      第２半導体レーザ（光源）
２７      第２フォトディテクタ（受光素子）
４０      光ディスク
４０ａ    情報記録面
６１      スライドベース
６１ａ    第１の軸受け部
６１ｂ    第２の軸受け部
６２      ナット保持部
８１      ナット
６２１    挿入口
６２２    載置面
６２３    位置決め壁
６２４ａ  脱落防止部
６２４ｂ  脱落防止部
【図１】
2009271969.tif 000003
【図３】
2009271969.tif 000004
【図４】
2009271969.tif 000005
【図５】
2009271969.tif 000006
【図６】
2009271969.tif 000007
【図７】
2009271969.tif 000008
【図８】
2009271969.tif 000009
【図９】
2009271969.tif 000010
【図２】
2009271969.tif 000011